(57)【要約】【課題】低コストで音声の音量を細かく段階的に調整できることを可能とするエレベータのアナウンス音量調整装置を提供する。【解決手段】実施形態のエレベータのアナウンス音量調整装置としての行先階登録装置１００は音量データ調整装置１とアナウンス入出力制御装置７とスピーカ１２０を備える。音量データ調整装置１はエレベータの乗りかご内に設けられた音量調整スイッチ１２１からの信号に応じた音量データと放送指令部４が出力したエレベータ状態情報とを併せて出力する。アナウンス入出力制御装置７はエレベータ状態情報に対応した音声信号をスピーカ１２０に出力する。アナウンス入出力制御装置７は音声信号出力部１３からスピーカ１２０に出力される音声信号を音量データに応じて調整する。【選択図】図４
2015037993.tif 000002
【特許請求の範囲】
【請求項１】
エレベータの乗りかご内に設けられた音量調整スイッチからの信号に応じた音量データを少なくとも出力する音量データ調整装置と、
前記音量データ調整装置から出力された前記音量データに基づき、音声信号を出力するアナウンス入出力制御装置と、
前記アナウンス入出力制御装置から出力された前記音声信号に応じた音声を鳴動するスピーカと、を備えたアナウンス音量調整装置において、
前記音量データ調整装置は、
前記エレベータの現在の状態に応じたエレベータ状態情報を出力する放送指令部と、
前記放送指令部が出力した前記エレベータ状態情報と前記音量調整スイッチからの信号に応じた前記音量データとを併せて出力するアナウンスデータ入出力制御部と、を備え、
前記アナウンス入出力制御装置は、
前記アナウンスデータ入出力制御部が出力した前記エレベータ状態情報に対応した前記音声信号を前記スピーカに出力する音声信号出力部と、
前記音声信号出力部から前記スピーカに出力される前記音声信号を、前記アナウンスデータ入出力制御部が出力した前記音量データに応じて調整するゲイン調整部と、
を備えることを特徴とする、
エレベータのアナウンス音量調整装置。
【請求項２】
前記アナウンスデータ入出力制御部から出力された前記音量データの音量を表示する表示装置を備えることを特徴とする、
請求項１記載のエレベータのアナウンス音量調整装置。
【請求項３】
前記音量データ調整装置の前記音量データの出力のオンオフを切り替える切り替えスイッチを備えることを特徴とする、
請求項１又は請求項２に記載のエレベータのアナウンス音量調整装置。
【請求項４】
前記音量調整スイッチからの信号は、前記スピーカが鳴動する音声の音量を段階的に大きく又は小さくするための信号であり、
前記アナウンスデータ入出力制御部が、前記音量調整スイッチが操作される毎に、前記エレベータ状態情報と前記音量データとを併せて出力することを特徴とする、
請求項１から請求項３のうちいずれか一項に記載のエレベータのアナウンス音量調整装置。
【発明の詳細な説明】
【技術分野】
【０００１】
本発明の実施形態は、エレベータのアナウンス音量調整装置に関する。
【背景技術】
【０００２】
従来、エレベータは、乗りかご内の乗客などに対して、エレベータの現在の状態を音声として知らせるものがある。
【先行技術文献】
【特許文献】
【０００３】
【特許文献１】特開平０５−１１６８５３号公報
【特許文献２】特開２００２−１２８４０３号公報
【発明の概要】
【発明が解決しようとする課題】
【０００４】
ところで、従来技術においては、低コストで音声の音量を細かく段階的に調整できることが望まれている。
【０００５】
したがって、本発明が解決しようとする課題は、低コストで音声の音量を細かく段階的に調整できることを可能とするエレベータのアナウンス音量調整装置を提供することにある。
【課題を解決するための手段】
【０００６】
実施形態のエレベータのアナウンス音量調整装置は、音量データ調整装置と、アナウンス入出力制御装置と、スピーカを備える。音量データ調整装置は、エレベータの乗りかご内に設けられた音量調整スイッチからの信号に応じた音量データを少なくとも出力する。アナウンス入出力制御装置は、音量データ調整装置から出力された音量データに基づき、音声信号を出力する。スピーカは、アナウンス入出力制御装置から出力された音声信号に応じた音声を鳴動する。音量データ調整装置は、放送指令部とアナウンスデータ入出力制御部を備える。放送指令部は、エレベータの現在の状態に応じたエレベータ状態情報を出力する。アナウンスデータ入出力制御部は、放送指令部が出力したエレベータ状態情報と、音量調整スイッチからの信号に応じた音量データとを併せて出力する。アナウンス入出力制御装置は、音声信号出力部とゲイン調整部を備える。音声信号出力部は、アナウンスデータ入出力制御部が出力したエレベータ状態情報に対応した音声信号をスピーカに出力する。ゲイン調整部は、音声信号出力部からスピーカに出力される音声信号を、アナウンスデータ入出力制御部が出力した音量データに応じて調整する。
【図面の簡単な説明】
【０００７】
【図１】図１は、第１の実施形態に係るエレベータのアナウンス音量調整装置としての行先階登録装置が設けられるエレベータの全体の構成を模式的に示す正面図である。
【図２】図２は、図１に示されたエレベータの行先階登録装置の正面図である。
【図３】図３は、図２に示されたエレベータの行先階登録装置に設けられたトグル式スイッチの側面図である。
【図４】図４は、第１の実施形態に係るエレベータの行先階登録装置の構成を示すブロック図である。
【図５】図５は、第１の実施形態に係るエレベータの行先階登録装置の処理の一例を示すフローチャートである。
【図６】図６は、第２の実施形態に係るエレベータのアナウンス音量調整装置としての行先階登録装置の構成を示すブロック図である。
【図７】図７は、第２の実施形態に係るエレベータの行先階登録装置の処理の一例を示すフローチャートである。
【図８】図８は、第３の実施形態に係るエレベータのアナウンス音量調整装置としての行先階登録装置の構成を示すブロック図である。
【図９】図９は、第３の実施形態に係るエレベータの行先階登録装置の処理の一例を示すフローチャートである。
【発明を実施するための形態】
【０００８】
以下に、本発明につき図面を参照しつつ詳細に説明する。なお、下記の実施形態は例示であり、発明の範囲がそれらに限定されるものではない。また、下記の実施形態における構成要素には、当業者が容易に想定できるものあるいは実質的に同一のものが含まれる。
【０００９】
［第１の実施形態］
本発明の第１の実施形態に係るエレベータのアナウンス音量調整装置を図面に基いて説明する。図１は、第１の実施形態に係るエレベータのアナウンス音量調整装置としての行先階登録装置が設けられるエレベータの全体の構成を模式的に示す正面図、図２は、図１に示されたエレベータの行先階登録装置の正面図、図３は、図２に示されたエレベータの行先階登録装置に設けられたトグル式スイッチの側面図、図４は、第１の実施形態に係るエレベータの行先階登録装置の構成を示すブロック図、図５は、第１の実施形態に係るエレベータの行先階登録装置の処理の一例を示すフローチャートである。
【００１０】
第１の実施形態に係るエレベータのアナウンス音量調整装置としての行先階登録装置１００（図２に示す）は、図１に示されたエレベータ１０１を構成する。エレベータ１０１は、建造物（建築物ともいう）の昇降路内に設置されて、乗りかご１０３内の行先階登録装置１００の操作による行先階登録及び各階床１１０に設けられた呼び登録装置（図示せず）の操作による呼び登録に基いて乗客などを建造物の所望の階床１１０に運搬する。
【００１１】
エレベータ１０１は、図１に示すように、乗りかご１０３と、カウンタウェイト１０４と、駆動機構１０５と、着床スイッチ１０６と、制御盤１０７などを備えている。
【００１２】
乗りかご１０３は、図示しないかご用ガイドレールにより、鉛直方向に昇降自在に支持されている。乗りかご１０３は、乗客を収容するかご室を備えている。かご室は、箱状に形成されて、内側に乗客などを収容可能である。かご室には、乗客を出入り自在とする開閉ドア１０３ａが一以上設けられている。さらに、乗りかご１０３には、開閉ドア１０３ａの戸開／戸閉状態を検出するための戸開スイッチ（図示せず）が設置されている。この戸開スイッチは、開閉ドア１０３ａが開いて乗りかご１０３が戸開状態となったときにオンして戸開信号を制御盤１０７に出力する。
【００１３】
カウンタウェイト１０４は、図示しないウェイト用ガイドレールにより、鉛直方向に移動自在に支持されている。また、乗りかご１０３には、メインロープ１０８の一端部が取り付けられ、カウンタウェイト１０４には、メインロープ１０８の他端部が取り付けられている。メインロープ１０８は、駆動機構１０５の駆動シーブ１０９に掛け渡されて、乗りかご１０３とカウンタウェイト１０４とが互いに上下反対方向に昇降するように設けられている。即ち、エレベータ１０１は、所謂、釣瓶式のエレベータとなっている。このように、メインロープ１０８は、駆動機構１０５の巻き上げ機により移動されることで、乗りかご１０３とカウンタウェイト１０４とを釣瓶式に昇降させる。
【００１４】
駆動機構１０５は、図１に示すように、例えば、昇降路の上部に設けられた機械室又は昇降路内の上部などに設けられ、周知の巻き上げ機と、メインロープ１０８が掛け渡されて巻き上げ機により回転駆動される駆動シーブ１０９などを備えている。駆動機構１０５は、巻き上げ機が駆動シーブ１０９を回転駆動することにより、メインロープ１０８を昇降路内で移動させて、乗りかご１０３とカウンタウェイト１０４を昇降させる。また、駆動機構１０５には、駆動シーブ１０９の回転速度を検出する速度検出器等（図示せず）が設けられている。速度検出器は、駆動シーブ１０９の回転速度を検出して検出結果を制御盤１０７に出力する。
【００１５】
着床スイッチ１０６は、各階床１１０に設けられている。着床スイッチ１０６は、乗りかご１０３が着床したことを検出し、検出結果を制御盤１０７に出力する。
【００１６】
制御盤１０７は、例えば、昇降路内などに設けられる機器であって、図示しないＲＡＭ、ＲＯＭ、ＣＰＵ、入出力ポート及び記憶装置を備えた演算装置である。制御盤１０７は、乗りかご１０３内の行先階登録装置１００や、各階床１１０に設けられた呼び登録装置、駆動機構１０５、乗りかご１０３の戸開スイッチ、速度検出器、着床スイッチ１０６などに接続して、エレベータ１０１全体の運転制御を行う。
【００１７】
行先階登録装置１００は、乗りかご１０３のかご室内に一つ設けられている。行先階登録装置１００は、制御盤１０７に行先階を登録し、乗りかご１０３を行先階の階床１１０に着床させた後、戸開させるためのものである。また、行先階登録装置１００は、スピーカ１２０（図２に示す）が鳴動する音声の音量を調整（大小）させるものでもある。行先階登録装置１００は、テールコード１１１を介して制御盤１０７に接続している。
【００１８】
行先階登録装置１００は、図２に示すように、戸開釦１１７と、戸閉釦１１８と、表示装置１１６と、行先階釦１１９と、スピーカ１２０と、音量調整スイッチ１２１と、制御装置１２２などを備えている。
【００１９】
戸開釦１１７は、開閉ドア１０３ａを戸開させるためのものである。戸開釦１１７は、乗りかご１０３内の乗客が開閉ドア１０３ａを戸開させる又は開閉ドア１０３ａを戸開させる時間を延ばす際に押下操作される。戸閉釦１１８は、開閉ドア１０３ａを戸閉させるためのものである。戸閉釦１１８は、乗りかご１０３内の乗客が開閉ドア１０３ａを戸閉させる際に押下操作される。なお、戸開釦１１７及び戸閉釦１１８が押下操作されたことを示す釦オン信号は、制御盤１０７に出力される。
【００２０】
表示装置１１６は、乗りかご１０３の昇降路内の位置、乗りかご１０３が現在位置する階床１１０、乗りかご１０３の行先階等を表示する。
【００２１】
行先階釦１１９は、各階床１１０と１対１の関係で対応している。行先階釦１１９は、行先階の階床１１０を制御盤１０７に登録するものである。行先階釦１１９は、乗りかご１０３内の乗客が、移動したい階床１１０に対応したものを押下操作する。行先階釦１１９は、図２に示す例では、戸閉釦１１８の下方に、上の階床１１０に対応するものから順に設けられている。なお、行先階釦１１９が押下操作されたことを示す釦オン信号は、制御盤１０７に出力される。
【００２２】
スピーカ１２０は、制御装置１２２から出力された音声信号に応じた音声を鳴動（発）して、エレベータ１０１の現在の状態（例えば、着床したこと、着床した階床１１０等）を乗客に知らせるものである。
【００２３】
音量調整スイッチ１２１は、行先階登録装置１００に備えられて、エレベータ１０１の乗りかご１０３のかご室内に設けられている。音量調整スイッチ１２１は、スピーカ１２０の音量を大きくしたり小さくして、スピーカ１２０の音量を調整するものである。
【００２４】
音量調整スイッチ１２１は、第１の実施形態ではトグル式スイッチであって、図３に示すように、行先階登録装置１００の表面から立設した図３中に実線で示す中立位置に常に付勢された操作軸１２３と、二つの検出スイッチ（図示せず）とを備えている。操作軸１２３は、図２では上下方向であり図３では左右方向である互いに逆向きの２方向に揺動自在に設けられている。二つの検出スイッチのうち一方は、操作軸１２３が前述した２方向のうちの一方の方向（図２では上方、図３では左方）に揺動したことを検出する。二つの検出スイッチのうち他方は、操作軸１２３が前述した２方向のうちの他方の方向（図２では下方、図３では右方）に揺動したことを検出する。
【００２５】
音量調整スイッチ１２１は、検出スイッチの検出結果を示す信号を、操作軸１２３が揺動される毎に制御装置１２２に出力する。音量調整スイッチ１２１からの信号は、スピーカ１２０が鳴動する音声の音量を段階的に大きく又は小さくするための信号である。具体的には、操作軸１２３が図２中の上方に揺動したときの検出結果を示す信号が、スピーカ１２０が鳴動する音声の音量を一段階大きくする信号である。また、操作軸１２３が図２中の下方に揺動したときの検出結果を示す信号が、スピーカ１２０が鳴動する音声の音量を一段階小さくする信号である。本実施形態では、スピーカ１２０が鳴動する音声の音量は、１０段階に設定することができる。例えば、現在の音量が小さい側から２段目である場合に音量を一段階大きくするには、操作軸１２３を図２中の上方に１回揺動する。また、音量を２段階大きくするには、操作軸１２３を図２中の上方に１回揺動した後、一旦中立位置に戻してから操作軸１２３を図２中の上方に１回揺動させる。
【００２６】
なお、本発明では、音量調整スイッチ１２１として、トグル式スイッチ以外の種々のスイッチを用いても良い。要するに、本発明では、操作部が中立位置に付勢されて操作されないと中立位置に復帰し、中立位置から互いに異なる２方向に操作部が変位したことを検出する検出スイッチを備えるものを音量調整スイッチ１２１として用いるのが望ましい。例えば、音量調整スイッチ１２１として、トグル式スイッチ以外にダイヤルスイッチなどを用いることができる。
【００２７】
制御装置１２２は、図示しないＲＡＭ、ＲＯＭ、ＣＰＵなどを備えた演算装置であり、行先階登録装置１００全体の制御を行う。また、制御装置１２２は、テールコード１１１を介して制御盤１０７に接続しており、制御盤１０７との間で各種情報の入出力を行う。制御装置１２２は、図４に示すように、音量データを少なくとも出力する音量データ調整装置１と、少なくとも音量データを受取ってスピーカ１２０に音声信号を出力するアナウンス入出力制御装置７とを備えている。
【００２８】
音量データ調整装置１は、乗りかご１０３のかご室内に設けられた音量調整スイッチ１２１に接続しており、音量調整スイッチ１２１からの信号に応じた音量データを出力するものである。音量データとは、音量調整スイッチ１２１からの信号に応じて、スピーカ１２０が鳴動する音声の音量の段階を示すものである。音量データ調整装置１は、図４に示すように、操作ＳＷ認識部３と、放送指令部４と、アナウンスデータ入出力制御部２と、音量データテーブル５と、アナウンス入出力制御装置７と情報の入出力を行う入出力部６とを含んで構成されている。
【００２９】
操作ＳＷ認識部３は、音量調整スイッチ１２１の状態を認識するものであり、音量調整スイッチ１２１からの信号が入力される。操作ＳＷ認識部３は、音量調整スイッチ１２１からの信号をアナウンスデータ入出力制御部２に出力する。
【００３０】
放送指令部４は、制御盤１０７と接続しており、制御盤１０７からエレベータ１０１の現在の状態を示す情報が適宜入力される。放送指令部４は、入力されたエレベータ１０１の現在の状態に応じたエレベータ状態情報を、アナウンスデータ入出力制御部２にエレベータ１０１の現在の状態を示す情報が入力される毎に出力する。エレベータ状態情報は、エレベータ１０１の現在の状態に応じて乗客に知らせたい情報である。エレベータ状態情報は、例えば、乗りかご１０３が着床したことと着床した階床１１０を示すものである。具体的には、エレベータ状態情報は、例えば、乗りかご１０３が３階の階床１１０に着床した場合には、乗りかご１０３が３階の階床１１０に着床したことを示すものである。
【００３１】
アナウンスデータ入出力制御部２は、音量調整スイッチ１２１からの信号が、音量調整スイッチ１２１が操作される毎に操作ＳＷ認識部３から入力される。即ち、アナウンスデータ入出力制御部２は、操作ＳＷ認識部３を介して音量調整スイッチ１２１からの信号が入力される。アナウンスデータ入出力制御部２は、予め現在の音量の段階が書き込まれており、音量調整スイッチ１２１から信号が入力されると、音量調整スイッチ１２１からの信号に基いて、音量調整スイッチ１２１操作後の音量の段階を算出して上書きする。具体的には、予め現在の音量の段階が小さい側から２段目である情報が書き込まれている場合に、アナウンスデータ入出力制御部２に音量調整スイッチ１２１から音量を一段階大きくする信号が入力される。この場合、アナウンスデータ入出力制御部２は、音量調整スイッチ１２１操作後の音量の段階が小さい側から３段目であることを算出し、小さい側から３段目であることを現在の音量の段階として上書きする。
【００３２】
アナウンスデータ入出力制御部２は、音量データテーブル５に、音量調整スイッチ１２１操作後の音量の段階に応じた音量データを要求する要求信号を出力する。なお、音量データテーブル５は、予め音量の段階に対応した設定値である音量データを記憶している。即ち、音量データテーブル５は、複数の音量データを記憶している。それぞれの音量データは、音量の段階と１対１で対応している。アナウンスデータ入出力制御部２が要求信号を音量データテーブル５に出力すると、音量データテーブル５は、音量調整スイッチ１２１操作後の音量の段階に応じた音量データをアナウンスデータ入出力制御部２に出力する。アナウンスデータ入出力制御部２は、操作ＳＷ認識部３即ち音量調整スイッチ１２１からの信号に応じた音量データを、音量データテーブル５から取り込む。
【００３３】
また、アナウンスデータ入出力制御部２は、放送指令部４が出力したエレベータ状態情報を上書きして記憶する。即ち、アナウンスデータ入出力制御部２は、放送指令部４が出力したエレベータ状態情報のうち最新のエレベータ状態情報を記憶している。そして、アナウンスデータ入出力制御部２は、音量調整スイッチ１２１が操作される毎に、放送指令部４が出力した最新のエレベータ状態情報と、操作ＳＷ認識部３を介して入力した音量調整スイッチ１２１からの信号に応じた音量データとを併せて、入出力部６を介して、アナウンス入出力制御装置７に出力する。
【００３４】
アナウンス入出力制御装置７は、スピーカ１２０に接続しており、音量データ調整装置１から出力された音量データとエレベータ状態情報とに基づき、音声信号をスピーカ１２０に出力するものである。そして、スピーカ１２０は、アナウンス入出力制御装置７から出力された音声信号に応じた音声を鳴動する。
【００３５】
アナウンス入出力制御装置７は、図４に示すように、音量データ調整装置１と情報の入出力を行う入出力部８と、音声データ記憶部９と、音声合成部１０と、ゲイン調整器１１と、増幅器１２とを含んで構成されている。
【００３６】
音声データ記憶部９と音声合成部１０とは、アナウンスデータ入出力制御部２が入出力部６を介して出力したエレベータ状態情報に対応した音声信号をスピーカ１２０に出力する音声信号出力部１３を構成している。音声データ記憶部９は、アナウンスデータ入出力制御部２が入出力部６を介して出力する可能性のあるエレベータ状態情報に対応する音声信号を記憶している。即ち、音声データ記憶部９は、音声信号を複数記憶しており、それぞれの音声信号は、エレベータ状態情報と１対１で対応している。音声データ記憶部９は、アナウンスデータ入出力制御部２が入出力部６を介して出力したエレベータ状態情報に対応した音声信号を選択して、選択した音声信号を音声合成部１０に出力する。音声合成部１０は、音声データ記憶部９が出力した音声信号をアナログに変換して、増幅器１２を介してスピーカ１２０に出力する。
【００３７】
ゲイン調整器１１と増幅器１２とは、音声信号出力部１３からスピーカ１２０に出力される音声信号を、アナウンスデータ入出力制御部２が出力した音量データに応じて調整するゲイン調整部１４を構成している。ゲイン調整器１１は、入出力部６を介して音量データ調整装置１から出力された音量データに応じて、増幅器１２のゲインを設定する。ゲイン調整器１１は、音量データ調整装置１から出力された音量データが示す段階に応じて、スピーカ１２０が鳴動するための増幅器１２のゲインを設定する。増幅器１２は、ゲイン調整器１１が設定したゲインで、アナログ信号の音声信号を増幅して、スピーカ１２０に出力する。
【００３８】
次に、第１の実施形態に係る行先階登録装置１００のスピーカ１２０が鳴動する音声の音量の段階を調整する処理の一例を図５に基いて説明する。なお、図５に示されたフローチャートは、制御装置１２２により繰り返し実行される。
【００３９】
まず、制御装置１２２は、音量調整スイッチ１２１からの信号が入力されたか否か即ち音量調整スイッチ１２１が操作されたか否かを判定する（ステップＳＴ１）。制御装置１２２は、音量調整スイッチ１２１からの信号が入力されていない即ち音量調整スイッチ１２１が操作されていないと判定する（ステップＳＴ１：Ｎｏ）と、フローチャートを終了する。制御装置１２２は、音量調整スイッチ１２１からの信号が入力された即ち音量調整スイッチ１２１が操作されたと判定する（ステップＳＴ１：Ｙｅｓ）と、音量調整スイッチ１２１が音量を大きくするように操作された否かを判定する（ステップＳＴ２）。
【００４０】
制御装置１２２は、音量調整スイッチ１２１が音量を大きくするように操作されたと判定する（ステップＳＴ２：Ｙｅｓ）と、現在の音量の段階が上限値よりも小さいか否かを判定する（ステップＳＴ３）。制御装置１２２は、現在の音量の段階が上限値よりも小さいと判定する（ステップＳＴ３：Ｙｅｓ）と、音量調整スイッチ１２１操作後の音量の段階を算出（ステップＳＴ４）して、現在の音量の段階として上書きして、フローチャートを終了する。
【００４１】
また、制御装置１２２は、音量調整スイッチ１２１が音量を大きくするように操作されていないと判定する（ステップＳＴ２：Ｎｏ）と、現在の音量の段階が下限値よりも大きいか否かを判定する（ステップＳＴ５）。制御装置１２２は、現在の音量の段階が下限値よりも大きいと判定する（ステップＳＴ５：Ｙｅｓ）と、音量調整スイッチ１２１操作後の音量の段階を算出（ステップＳＴ６）して、現在の音量の段階として上書きして、フローチャートを終了する。
【００４２】
さらに、制御装置１２２は、現在の音量の段階が上限値よりも小さくないと判定した場合（ステップＳＴ３：Ｎｏ）と、現在の音量の段階が下限値よりも大きくないと判定した場合（ステップＳＴ５：Ｎｏ）には、フローチャートを終了する。また、本発明では、制御装置１２２は、現在の音量の段階が上限値よりも小さくないと判定した場合（ステップＳＴ３：Ｎｏ）と、現在の音量の段階が下限値よりも大きくないと判定した場合（ステップＳＴ５：Ｎｏ）には、スピーカ１２０からビープ音を鳴動させても良い。
【００４３】
前述したように構成された行先階登録装置１００は、音量調整スイッチ１２１の操作軸１２３を揺動させない場合には、音量調整スイッチ１２１からの信号を操作ＳＷ認識部３に入力しない。行先階登録装置１００は、音量調整スイッチ１２１の操作軸１２３が上方に揺動された場合には、操作軸１２３が上方に揺動したことを示す検出結果を操作ＳＷ認識部３に入力する。例えば、現在の音量の段階が小さい側から２段目である場合に、操作軸１２３が上方に１回揺動されると、この検出結果を操作ＳＷ認識部３に入力する。すると、操作ＳＷ認識部３を介して、操作軸１２３が上方に１回揺動された検出結果をアナウンスデータ入出力制御部２に入力する。
【００４４】
そして、アナウンスデータ入出力制御部２が、現在の音量の段階が上限値よりも小さいことを確認し、音量データテーブル５へ小さい側から２段目よりも１段大きな小さい側から３段目の音量データを要求する要求信号を出力する。そして、音量データテーブル５は、アナウンスデータ入出力制御部２からの要求信号を受けて、小さい側から３段目の音量データをアナウンスデータ入出力制御部２へ出力する。また、アナウンスデータ入出力制御部２は、小さい側から３段目の音量の段階を現在の音量の段階として上書きし、小さい側から３段目の音量データをエレベータ状態情報と併せて、アナウンス入出力制御装置７に出力する。
【００４５】
アナウンス入出力制御装置７は、アナウンスデータ入出力制御部２が出力した音量データが、入出力部８を介してゲイン調整器１１に入力される。ゲイン調整器１１は、入力された音量データに対応したゲイン即ち電圧を増幅器１２へかける。これにより、増幅器１２のゲインが大きくなり、音声合成部１０から出力されるアナログ信号の音声信号の増幅率が大きくなるためスピーカ１２０が鳴動する音声の音量が大きくなる。以後、乗りかご１０３のかご室内でスピーカ１２０が鳴動する音声の音量は、小さい側から３段目の音量となる。
【００４６】
また、行先階登録装置１００は、音量調整スイッチ１２１の操作軸１２３が下方に揺動された場合には、操作軸１２３が下方に揺動したことを示す検出結果を操作ＳＷ認識部３に入力する。例えば、現在の音量が小さい側から２段目である場合に、操作軸１２３が下方に１回揺動されると、この検出結果を操作ＳＷ認識部３に入力する。すると、操作ＳＷ認識部３を介して、操作軸１２３が下方に１回揺動された検出結果をアナウンスデータ入出力制御部２に入力する。
【００４７】
そして、アナウンスデータ入出力制御部２が、現在の音量の段階が下限値よりも大きいことを確認し、音量データテーブル５へ小さい側から２段目よりも１段小さな小さい側から１段目の音量データを要求する要求信号を出力する。そして、音量データテーブル５は、アナウンスデータ入出力制御部２からの要求信号を受けて、小さい側から１段目の音量データをアナウンスデータ入出力制御部２へ出力する。また、アナウンスデータ入出力制御部２は、小さい側から１段目の音量の段階を現在の音量の段階として上書きし、小さい側から１段目の音量データをエレベータ状態情報と併せて、アナウンス入出力制御装置７に出力する。
【００４８】
アナウンス入出力制御装置７は、アナウンスデータ入出力制御部２が出力した音量データが、入出力部８を介してゲイン調整器１１に入力される。ゲイン調整器１１は、入力された音量データに対応したゲイン即ち電圧を増幅器１２へかける。これにより、増幅器１２のゲインが小さくなり、音声合成部１０から出力されるアナログ信号の音声信号の増幅率が小さくなるためスピーカ１２０が鳴動する音声の音量が小さくなる。以後、乗りかご１０３のかご室内でスピーカ１２０が鳴動する音声の音量は、小さい側から１段目の音量となる。
【００４９】
第１の実施形態の行先階登録装置１００によれば、音量調整スイッチ１２１を操作することで、スピーカ１２０の鳴動する音声の音量を調整することができる。音量データ調整装置１がエレベータ１０１の現在の状態に応じたエレベータ状態情報と音量調整スイッチ１２１からの信号に応じた音量データとを併せて出力する。また、アナウンス入出力制御装置７が、音量データ調整装置１が出力した音量データに応じて、エレベータ状態情報に対応した音声信号を調整する。特に、音量調整スイッチ１２１が操作される毎に、アナウンスデータ入出力制御部２が、エレベータ状態情報と音量データとを併せて出力する。このために、行先階登録装置１００は、音量調整スイッチ１２１として、例えば、トグル式スイッチなどの安価なスイッチを用いても、確実に音量を細かく段階的に調整することができる。したがって、行先階登録装置１００は、低コストで音声の音量を細かく段階的に調整できることを可能とすることができる。
【００５０】
［第２の実施形態］
本発明の第２の実施形態に係るエレベータのアナウンス音量調整装置を図面に基いて説明する。図６は、第２の実施形態に係るエレベータのアナウンス音量調整装置としての行先階登録装置の構成を示すブロック図、図７は、第２の実施形態に係るエレベータの行先階登録装置の処理の一例を示すフローチャートである。なお、図６及び図７において、第１の実施形態と同一部分には、同一符号を付して説明を省略する。
【００５１】
第１の実施形態の行先階登録装置１００は、音量調整スイッチ１２１を操作することでスピーカ１２０が鳴動する音声の音量を調整している。第２の実施形態では、スピーカ１２０が鳴動する音声の音量の段階を乗りかご１０３のかご室内の表示装置１１６に表示することで、音量の調整時に音量の段階を把握しやすくしたものである。
【００５２】
第２の実施形態の行先階登録装置１００では、表示装置１１６は、アナウンスデータ入出力制御部２から出力された音量データの音量の段階を表示するものである。第２の実施形態の行先階登録装置１００では、制御装置１２２は、音量データ調整装置１と、アナウンス入出力制御装置７に加えて、表示制御装置１５を備えている。表示制御装置１５は、音量データ調整装置１のアナウンスデータ入出力制御部２から出力された音量データの音量の段階を表示装置１１６に表示させるためのものである。表示制御装置１５は、表示データ記憶部１６と、表示信号生成部１７と、入出力部６と情報の入出力を行う入出力部１８と、音量表示タイマ２０とを含んで構成されている。
【００５３】
表示信号生成部１７は、入出力部６，１８を介してアナウンスデータ入出力制御部２から出力された音量データが入力される。表示信号生成部１７は、入力された音量データに対応した表示データを要求する要求信号を表示データ記憶部１６に出力する。表示信号生成部１７は、表示データ記憶部１６から出力された表示データに基いて表示信号を合成し、表示装置１１６に出力する。例えば、表示信号生成部１７は、小さい側から３段目の音量データが入力されると、小さい側から３段目の表示データを要求する要求信号を表示データ記憶部１６に出力する。そして、表示信号生成部１７には、小さい側から３段目の音量データに対応した表示データが入力される。
【００５４】
表示データ記憶部１６は、アナウンスデータ入出力制御部２から出力される音量データに対応した表示データを記憶している。即ち、表示データ記憶部１６は、表示データを複数記憶している。表示データは、音量データと１対１で対応している。表示データ記憶部１６は、表示信号生成部１７からの要求信号に対応した表示データを表示信号生成部１７に出力する。
【００５５】
音量表示タイマ２０は、表示信号生成部１７が表示信号を合成完了したことを検出した時にタイマを起動させ、予め定められた時間が経過したときに、表示信号生成部１７へ表示信号の出力を停止させるための信号を出力する。
【００５６】
次に、第２の実施形態に係る行先階登録装置１００の表示制御装置１５の処理の一例を図７に基いて説明する。なお、図７に示されたフローチャートは、制御装置１２２の表示制御装置１５により繰り返し実行される。
【００５７】
まず、制御装置１２２の表示制御装置１５は、入出力部６，１８を介して、音量データ調整装置１のアナウンスデータ入出力制御部２から出力された音量データが表示信号生成部１７に入力したか否かを判定する（ステップＳＴ１１）。制御装置１２２の表示制御装置１５は、音量データが表示信号生成部１７に入力したと判定する（ステップＳＴ１１：Ｙｅｓ）と、入力した音量データに対応した表示データの要求信号を表示信号生成部１７から表示データ記憶部１６へ出力する（ステップＳＴ１２）。
【００５８】
制御装置１２２の表示制御装置１５は、表示データ記憶部１６が要求信号に対応した表示データを表示信号生成部１７に出力し（ステップＳＴ１３）、表示信号生成部１７が入力された表示データに基いて表示信号を合成する（ステップＳＴ１４）。制御装置１２２の表示制御装置１５は、表示信号の合成完了後、音量表示タイマ２０を駆動した（ステップＳＴ１５）後、表示信号生成部１７が合成した表示信号を表示装置１１６に出力して（ステップＳＴ１６）、表示装置１１６が音量を表示してフローチャートを終了する。
【００５９】
また、制御装置１２２の表示制御装置１５は、音量データが表示信号生成部１７に入力していないと判定する（ステップＳＴ１１：Ｎｏ）と、音量表示タイマ２０が駆動しているか否かを判定する（ステップＳＴ１７）。制御装置１２２の表示制御装置１５は、音量表示タイマ２０が駆動していると判定する（ステップＳＴ１７：Ｙｅｓ）と、音量表示タイマ２０が駆動してから即ち表示信号生成部１７が表示信号の合成完了後から予め定められた時間内であるか否かを判定する（ステップＳＴ１８）。制御装置１２２の表示制御装置１５は、予め定められた時間内であると判定する（ステップＳＴ１８：Ｙｅｓ）と、ステップＳＴ１６に進み、予め定められた時間内、表示装置１１６が現在の音量の段階を表示する。
【００６０】
また、制御装置１２２の表示制御装置１５は、音量表示タイマ２０が駆動していないと判定する（ステップＳＴ１７：Ｎｏ）と、フローチャートを終了する。制御装置１２２の表示制御装置１５は、予め定められた時間内ではない即ち予め定められた時間を超えたと判定する（ステップＳＴ１８：Ｎｏ）と、音量表示タイマ２０を停止して（ステップＳＴ１９）、フローチャートを終了する。
【００６１】
第２の実施形態に係る行先階登録装置１００では、前述した構成により、音量調整スイッチ１２１を操作することで、スピーカ１２０が鳴動する音声の音量を調整し、スピーカ１２０が鳴動する音声の音量の段階を表示装置１１６に表示することができる。
【００６２】
例えば、音量を大きくするために、行先階登録装置１００は、音量調整スイッチ１２１の操作軸１２３が上方に揺動された場合には、操作軸１２３が上方に揺動したことを示す検出結果を操作ＳＷ認識部３に入力する。例えば、現在の音量が小さい側から２段目である場合に、操作軸１２３が上方に１回揺動されると、この検出結果が操作ＳＷ認識部３を介して、アナウンスデータ入出力制御部２に入力される。
【００６３】
そして、アナウンスデータ入出力制御部２が、現在の音量の段階が上限値よりも小さいことを確認し、音量データテーブル５へ小さい側から２段目よりも１段大きな小さい側から３段目の音量データを要求する要求信号を出力する。そして、音量データテーブル５は、アナウンスデータ入出力制御部２からの要求信号を受けて、小さい側から３段目の音量データをアナウンスデータ入出力制御部２へ出力する。また、アナウンスデータ入出力制御部２は、小さい側から３段目を現在の音量の段階として上書きし、小さい側から３段目の音量データをエレベータ状態情報と併せて、アナウンス入出力制御装置７に出力する。さらに、アナウンスデータ入出力制御部２は、小さい側から３段目の音量データを表示制御装置１５に出力する。
【００６４】
すると、表示信号生成部１７が音量データ調整装置１から入力した小さい側から３段目の音量データに対応した表示データの要求信号を表示データ記憶部１６に出力する。表示データ記憶部１６が、表示信号生成部１７からの要求信号に応じて、予め記憶した表示データのうち小さい側から３段目の音量データに対応した表示データを表示信号生成部１７に出力する。
【００６５】
表示信号生成部１７が、入力された表示データに基いて小さい側から３段目の表示信号を合成し、音量表示タイマ２０が駆動された後、合成した小さい側から３段目の表示信号を表示装置１１６に出力する。ここで、音量表示タイマ２０が表示信号生成部１７の表示信号の出力を停止させるまでの予め定められた時間は、例えば、１０秒程度である。以後、乗りかご１０３のかご室内でスピーカ１２０が鳴動する音声の音量は、小さい側から３段目の音量となる。また、表示装置１１６は、小さい側から３段目の音量の段階を表示してから予め定められた時間（例えば１０秒）後に、表示信号生成部１７から表示信号が入力されなくなり、音量の段階の表示を完了する。
【００６６】
第２の実施形態の行先階登録装置１００によれば、第１の実施形態と同様に、音量調整スイッチ１２１が操作される毎に、アナウンスデータ入出力制御部２が、エレベータ状態情報と音量データとを併せて出力する。したがって、行先階登録装置１００は、低コストで音声の音量を細かく段階的に調整できることを可能とすることができる。
【００６７】
また、第２の実施形態の行先階登録装置１００によれば、音量データ調整装置１のアナウンスデータ入出力制御部２から出力された音量データの音量の段階を表示する表示装置１１６を備える。このために、エレベータ１０１の乗りかご１０３の乗客などが音量の段階を容易に把握することができる。
【００６８】
［第３の実施形態］
本発明の第３の実施形態に係るエレベータのアナウンス音量調整装置を図面に基いて説明する。図８は、第３の実施形態に係るエレベータのアナウンス音量調整装置としての行先階登録装置の構成を示すブロック図、図９は、第３の実施形態に係るエレベータの行先階登録装置の処理の一例を示すフローチャートである。なお、図８及び図９において、第１の実施形態及び第２の実施形態と同一部分には、同一符号を付して説明を省略する。
【００６９】
第３の実施形態の行先階登録装置１００は、図８に示すように、音量調整スイッチ１２１とは別に切り替えスイッチ２１を設けたものである。切り替えスイッチ２１は、音量調整スイッチ１２１からの信号に応じた音量データ調整装置１の音量データの出力のオンオフを切り替えるためのものである。
【００７０】
第３の実施形態の行先階登録装置１００では、切り替えスイッチ２１は、操作ＳＷ認識部３に接続している。切り替えスイッチ２１は、音量データ調整装置１が音量データを出力することを許容するオン状態と、音量データ調整装置１が音量データを出力することを規制するオフ状態とが切り替えられる。切り替えスイッチ２１は、オン状態であるかオフ状態であるかを示す情報を操作ＳＷ認識部３に常に出力する。
【００７１】
操作ＳＷ認識部３は、音量調整スイッチ１２１からの信号と、切り替えスイッチ２１からのオン状態であるかオフ状態であるかを示す情報をアナウンスデータ入出力制御部２に出力する。
【００７２】
放送指令部４は、第１の実施形態と同様に、エレベータ状態情報をアナウンスデータ入出力制御部２に出力する。音量データテーブル５は、第１の実施形態と同様に、予め音量データを複数記録しており、アナウンスデータ入出力制御部２からの要求信号に応じた音量データをアナウンスデータ入出力制御部２に出力する。
【００７３】
アナウンスデータ入出力制御部２は、音量調整スイッチ１２１からの信号と、切り替えスイッチ２１からオン状態であることを示す情報とが入力した時のみ、音量データの要求信号を音量データテーブル５へ出力する。アナウンスデータ入出力制御部２は、放送指令部４が出力した最新のエレベータ状態情報と、音量調整スイッチ１２１からの信号に応じた音量データを併せて入出力部６を介して、アナウンス入出力制御装置７に出力する。
【００７４】
アナウンス入出力制御装置７は、第１の実施形態と同様に動作する。音声データ記憶部９は、アナウンスデータ入出力制御部２が出力したエレベータ状態情報に対応した音声信号を音声合成部１０に出力する。音声合成部１０は、第１の実施形態と同様に、音声データ記憶部９が出力した音声信号をアナログに変換して出力する。ゲイン調整器１１は、入出力部６を介して音量データ調整装置１から出力された音量データに応じて、増幅器１２のゲインを設定する。増幅器１２は、ゲイン調整器１１が設定したゲインで、アナログ信号の音声信号を増幅してスピーカ１２０に出力する。
【００７５】
次に、第３の実施形態に係る行先階登録装置１００のスピーカ１２０が鳴動する音声の音量の段階を調整する処理の一例を図９に基いて説明する。なお、図９に示されたフローチャートは、制御装置１２２により繰り返し実行される。
【００７６】
切り替えスイッチ２１がオン状態とされると、操作ＳＷ認識部３が切り替えスイッチ２１からのオン状態であることを示す情報をアナウンスデータ入出力制御部２に出力する。そして、制御装置１２２は、切り替えスイッチ２１からのオン状態であることを示す情報が入力したか否か即ち切り替えスイッチ２１がオン状態であるか否かを判定する（ステップＳＴ１ａ）。制御装置１２２は、切り替えスイッチ２１がオン状態であると判定する（ステップＳＴ１ａ：Ｙｅｓ）であると、音量調整スイッチ１２１が操作されたか否かを判定する（ステップＳＴ１）。そして、制御装置１２２は、第１の実施形態と同様に、ステップＳＴ２〜ステップＳＴ６を実行する。また、制御装置１２２は、切り替えスイッチ２１がオフ状態であると判定する（ステップＳＴ１ａ：Ｎｏ）であると、フローチャートを終了する。
【００７７】
前述したように構成された第３の実施形態の行先階登録装置１００は、前述した構成により、音量調整スイッチ１２１からの信号に応じた音量データ調整装置１の音量データの出力のオンオフを切り替えることができる。
【００７８】
行先階登録装置１００は、音量調整スイッチ１２１の操作軸１２３が上方に揺動された場合には、操作軸１２３が上方に揺動したことを示す検出結果を操作ＳＷ認識部３に入力する。例えば、現在の音量が小さい側から２段目である場合に、操作軸１２３が上方に１回揺動されると、この検出結果を操作ＳＷ認識部３に入力する。すると、操作ＳＷ認識部３を介して、操作軸１２３が上方に１回揺動された検出結果がアナウンスデータ入出力制御部２に入力される。
【００７９】
そして、アナウンスデータ入出力制御部２が、現在の音量の段階が上限値よりも小さいことを確認する。アナウンスデータ入出力制御部２が、切り替えスイッチ２１からのオン状態であることを示す情報が入力していることを確認した時のみ、音量データテーブル５へ小さい側から２段目よりも１段大きな小さい側から３段目の音量データを要求する要求信号を出力する。切り替えスイッチ２１からのオフ状態であることを示す情報が入力している場合には、アナウンスデータ入出力制御部２が、要求信号を出力しない。音量データテーブル５は、アナウンスデータ入出力制御部２からの要求信号を受けた場合、小さい側から３段目の音量データをアナウンスデータ入出力制御部２へ出力する。また、アナウンスデータ入出力制御部２は、小さい側から３段目を現在の音量の段階として上書きする。以後、乗りかご１０３のかご室内でスピーカ１２０が鳴動する音声の音量は、小さい側から３段目の音量となる。
【００８０】
第３の実施形態の行先階登録装置１００によれば、第１及び第２の実施形態と同様に、音量調整スイッチ１２１として、例えば、トグル式スイッチなどの安価なスイッチを用いることができる。よって、行先階登録装置１００によれば、低コストで音声の音量を細かく段階的に調整できることを可能とすることができる。また、第３の実施形態の行先階登録装置１００によれば、音量調整スイッチ１２１からの信号に応じた音量データ調整装置１の音量データの出力のオンオフを切り替える切り替えスイッチ２１を備えている。このために、音量を調整したり、音量を調整しないことを切り替えることができる。
【００８１】
前述した第１〜第３の実施形態では、エレベータのアナウンス音量調整装置としての行先階登録装置１００を示しているが、本発明では、これに限定されない。例えば、本発明では、アナウンス音量調整装置を行先階登録装置１００とは別に設けても良く、かご室内に設けられる他の機器に一体に設けられても良い。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１  音量データ調整装置
２  アナウンスデータ入出力制御部
４  放送指令部
７  アナウンス入出力制御装置
１３  音声信号出力部
１４  ゲイン調整部
２１  切り替えスイッチ
１００  行先階登録装置（エレベータのアナウンス音量調整装置）
１０１  エレベータ
１０３  乗りかご
１１６  表示装置
１２０  スピーカ
１２１  音量調整スイッチ
【図１】
2015037993.tif 000003
【図２】
2015037993.tif 000004
【図３】
2015037993.tif 000005
【図４】
2015037993.tif 000006
【図５】
2015037993.tif 000007
【図６】
2015037993.tif 000008
【図７】
2015037993.tif 000009
【図８】
2015037993.tif 000010
【図９】
2015037993.tif 000011